(57)【特許請求の範囲】
【請求項１】
回路基板における接地部に接続される接地接続部と上記回路基板の基板面に平行な面を形成する平面部とが設けられた導電性板状部材と、該導電性板状部材に連結された可動アーム状部材と、上記導電性板状部材及び上記可動アーム状部材を支持して上記回路基板に配されるベース部材とを備え、
上記可動アーム状部材の自由端部に、上記導電性板状部材に近接せしめられたカード基板の一端部を係止する係止部と該自由端部から突出して上記回路基板の基板面に沿う方向に移動可能とされる係合片部とが設けられるとともに、上記導電性板状部材の平面部における上記可動アーム状部材の自由端部の近傍となる部分に、該部分が上記回路基板の基板面に直交する方向に向かうべく折曲げられ、さらに、上記回路基板の基板面に沿う方向に向かうべく折曲げられる折曲げ加工が施されて、上記回路基板の基板面に沿って伸びる溝状部を形成し、上記係合片部が接触係合する状態をとるもとで該係合片部の移動に対する案内を行う係合案内部が設けられ、上記導電性板状部材と上記可動アーム状部材とが金属板材により一体形成されて構成され、
上記回路基板に取り付けられて上記カード基板の他端部が差込接続されるカード基板コネクタに対向する位置に配されて使用されるカード基板ラッチ。
【請求項２】
上記可動アーム状部材が一対設けられるとともに上記係合案内部が一対設けられ、上記一対の可動アーム部の夫々が、上記導電性板状部材との連結部分において一体化され、該連結部分から互いに逆方向に伸びて各々の自由端部から突出する係合片部を互いに離隔させることを特徴とする請求項１記載のカード基板ラッチ。
【請求項３】
上記係止部が、上記カード基板の一端部を係止するとき、該カード基板についての上記回路基板における接地部への連結を上記可動アーム状部材及び上記導電性板状部材を通じて行うことを特徴とする請求項１記載のカード基板ラッチ。
【請求項４】
上記可動アーム状部材における上記導電性板状部材との連結部分が上記ベース部材内に埋没されることを特徴とする請求項１記載のカード基板ラッチ。
【発明の詳細な説明】
【技術分野】
【０００１】
本願の特許請求の範囲に記載された発明は、回路基板上においてカード基板コネクタに対向する位置に配され、カード基板コネクタに差込接続されたカード基板の端部を係止するカード基板ラッチに関する。
【背景技術】
【０００２】
各種の電気部品が取り付けられるソリッド印刷配線基板等の回路基板に、メモリモジュール等とされるカード基板を搭載するにあたっては、対を成すものとして夫々回路基板に取り付けられるカード基板コネクタ（カードエッジコネクタと称されることもある。）とカード基板ラッチ（カードエッジコネクタ用ラッチと称されることもある。）とを用いることが提案されている。このような従来提案されているカード基板コネクタとカード基板ラッチとが用いられる場合には、カード基板コネクタに、カード基板の端部に配列配置された複数のコンタクトを含んで形成される接続端子部が差し込まれ、それによりカード基板が、カード基板コネクタを通じて、回路基板に電気的に接続される。そして、そのカード基板が、それにおける接続端子部に対向する端部がカード基板ラッチにより係止されて固定され、さらには、必要に応じてカード基板ラッチを通じて回路基板に接地接続される（例えば、特許文献１参照。）。
【０００３】
上述の特許文献１に開示されているような、従来提案されているカード基板コネクタとカード基板ラッチとの組合せにおけるカード基板ラッチは、例えば、図１３に示されるようなカード基板ラッチ１０とされる。カード基板ラッチ１０は、回路基板に固定されるベース部材１１によって、回路基板における接地部に接続された導電性板状部材１２と一対の可動アーム状部材１３Ａ及び１３Ｂとが支持されて、構成されている。ベース部材１１には、回路基板に係合する一対の基板係合部１１ａが設けられており、各基板係合部１１ａには回路基板に設けられた孔に差し込まれる突起１１ｂが形成されている（但し、一対の基板係合部１１ａのうちの一方に設けられた突起１１ｂは図１３には現れていない。）。これらの突起１１ｂが回路基板に設けられた孔に差し込まれることにより、ベース部材１１が回路基板に固定される。また、各基板係合部１１ａには、後述されるカード基板に設けられた透孔に係合する円錐状突起１１ｃも設けられている。
【０００４】
一対の可動アーム状部材１３Ａ及び１３Ｂの夫々は、例えば、板状部材により形成され、ベース部材１１に埋没して支持されている部分において導電性板状部材１２に連結されている。そして、可動アーム状部材１３Ａの自由端部には、折曲げ加工が施されて形成された係止部１４Ａが設けられ、また、可動アーム状部材１３Ｂの自由端部にも、折曲げ加工が施されて形成された係止部１４Ｂが設けられている。係止部１４Ａは、ベース部材１１における一対の基板係合部１１ａのうちの一方に配された導電性板状部材１２の部分１２Ａに対向しており、また、係止部１４Ｂは、ベース部材１１における一対の基板係合部１１ａのうちの他方に配された導電性板状部材１２の部分１２Ｂに対向している。
【０００５】
このようなカード基板ラッチ１０は、例えば、図１４及び図１５に示されるように、回路基板１５（図１５）上において、カード基板コネクタ１６に対向するものとして配置され、カード基板コネクタ１６を構成する絶縁ハウジング１７に接続端子部１８ａ（図１５）が差し込まれたカード基板１８の接続端子部１８ａに対向する端部１８ｂを、係止部１４Ａ及び１４Ｂによって係止するものとして使用される。その際、図１５に示されるように、カード基板ラッチ１０は、そのベース部材１１における基板係合部１１ａに設けられた突起１１ｂが回路基板１５に設けられた孔に差し込まれて固定され、また、カード基板コネクタ１６も、その絶縁ハウジング１７に設けられた突起１７ａが回路基板１５に設けられた孔に差し込まれて固定される。
【０００６】
カード基板コネクタ１６の絶縁ハウジング１７に差し込まれたカード基板１８の接続端子部１８ａには、図示が省略された複数のコンタクトが配列配置されている。そして、図１６に拡大されて示されるように、接続端子部１８ａに対して、カード基板コネクタ１６の絶縁ハウジング１７内に設けられた第１のコンタクト１９が、図１６における上方側から押圧接触するとともに、カード基板コネクタ１６の絶縁ハウジング１７内に設けられた第２のコンタクト２０が、図１６における下方側から押圧接触する。
【０００７】
接続端子部１８ａにおける第１のコンタクト１９が図１６における上方側から押圧接触する位置と、第２のコンタクト２０が図１６における下方側から押圧接触する位置とは、互いに対応しておらず、第１のコンタクト１９が図１６における上方側から押圧接触する位置に比して、第２のコンタクト２０が図１６における下方側から押圧接触する位置が、カード基板１８における内側に入り込んでいる。それにより、接続端子部１８ａがカード基板コネクタ１６の絶縁ハウジング１７に差し込まれたカード基板１８には、接続端子部１８ａに対向する端部１８ｂを図１４及び図１５の夫々における上方側に移動させようとする力が作用することになる。
【０００８】
カード基板１８における端部１８ｂがカード基板ラッチ１０の係止部１４Ａ及び１４Ｂよって係止されるにあたっては、図１４及び図１５に示されるように、カード基板１８における端部１８ｂが、それに設けられた一対の透孔１８ｃの夫々をカード基板ラッチ１０のベース部材１１における基板係合部１１ａに設けられた円錐状突起１１ｃに嵌合させて、カード基板ラッチ１０における係止部１４Ａと導電性板状部材１２の部分１２Ａとの間及び係止部１４Ｂと導電性板状部材１２の部分１２Ｂとの間に配される。そして、斯かる端部１８ｂに係止部１４Ａ及び１４Ｂが、図１４及び図１５の夫々における上方側から当接し、それによって係止部１４Ａ及び１４Ｂによる端部１８ｂに対する係止が行われる。
【０００９】
カード基板１８の端部１８ｂを係止する係止部１４Ａ及び１４Ｂは、それらを通じ、さらに可動アーム状部材１３Ａ及び１３Ｂ、及び、導電性板状部材１２を通じて、カード基板１８を回路基板１５における接地部に連結する役割も果たす。
【００１０】
カード基板１８の端部１８ｂが、透孔１８ｃをカード基板ラッチ１０に設けられた円錐状突起１１ｃに嵌合させて、カード基板ラッチ１０における係止部１４Ａと導電性板状部材１２の部分１２Ａとの間及び係止部１４Ｂと導電性板状部材１２の部分１２Ｂとの間に配される際には、係止部１４Ａ及び１４Ｂは、図１７において仮想線をもって示されるように、一時的に図１７において実線をもって示される位置からカード基板１８から離れさせる方向に変形移動せしめられ、その後、係止部１４Ａ及び１４Ｂが夫々に設けられた可動アーム状部材１３Ａ及び１３Ｂの弾性力によって、図１７において実線をもって示される位置に戻される。
【００１１】
また、カード基板１８の端部１８ｂを、係止部１４Ａ及び１４Ｂによって係止された状態から解除するにあたっては、係止部１４Ａ及び１４Ｂを伴った可動アーム状部材１３Ａ及び１３Ｂに、係止部１４Ａ及び１４Ｂを端部１８ｂから離れさせるように移動させる操作が加えられる。そして、可動アーム状部材１３Ａ及び１３Ｂに対しての係止部１４Ａ及び１４Ｂを端部１８ｂから離れさせる操作が終了すると、可動アーム状部材１３Ａ及び１３Ｂは、その弾性力によって、係止部１４Ａ及び１４Ｂを伴って元の位置に戻る。
【００１２】
【特許文献１】特開２００４−２３５１４２号公報（第５〜８頁、図１〜５）
【発明の開示】
【発明が解決しようとする課題】
【００１３】
上述のような、従来提案されているカード基板ラッチ１０にあっては、それに設けられて、カード基板コネクタ１６の絶縁ハウジング１７に接続端子部１８ａが差し込まれたカード基板１８の端部１８ｂを係止するものとされる、例えば、板状部材で成る可動アーム状部材１３Ａ及び１３Ｂの夫々に折曲げ加工が施されて形成された係止部１４Ａ及び１４Ｂが、カード基板１８の端部１８ｂを係止したもとにおいて、カード基板１８からそれに作用する端部１８ｂを図１４及び図１５の夫々における上方側に移動させようとする力を常時受けるものとなる。それゆえ、斯かる力に加えて、例えば、回路基板に及ぼされる振動や衝撃により、さらなる同方向の力が係止部１４Ａ及び１４Ｂに加えられると、係止部１４Ａ及び１４Ｂの一方あるいは双方が屈曲変形，歪み変形，捩れ変形等の不所望な変形を生じ、それにより、カード基板１８の端部１８ｂが係止部１４Ａ及び１４Ｂによって適正に係止されなくなってしまう虞がある。
【００１４】
また、カード基板１８の端部１８ｂが、カード基板ラッチ１０における係止部１４Ａと導電性板状部材１２の部分１２Ａとの間及び係止部１４Ｂと導電性板状部材１２の部分１２Ｂとの間に配される際に、係止部１４Ａ及び１４Ｂに生じる図１７において仮想線をもって示されるような変形移動が、係止部１４Ａ及び１４Ｂの一方あるいは双方に、屈曲変形，歪み変形，捩れ変形等の不所望な変形をもたらすこととなり、その結果、カード基板１８の端部１８ｂが係止部１４Ａ及び１４Ｂによって適正に係止されなくなってしまう虞もある。
【００１５】
カード基板１８の端部１８ｂが係止部１４Ａ及び１４Ｂによって適正に係止されなくなると、カード基板１８が、係止部１４Ａ及び１４Ｂ，可動アーム状部材１３Ａ及び１３Ｂ及び導電性板状部材１２を通じて、回路基板１５における接地部に連結されるにあたり、カード基板１８と係止部１４Ａ及び１４Ｂとの間の接触抵抗値が不安定となり、カード基板１８についての接地接続が安定に行われなくなってしまう弊害も生じる。
【００１６】
そこで、このような不都合を回避すべく、係止部１４Ａ及び１４Ｂが折曲げ加工により夫々形成される可動アーム状部材１３Ａ及び１３Ｂについて、例えば、それらを構成する板状部材の板厚や板幅を増して剛性を増大させ、それによって、係止部１４Ａ及び１４Ｂの夫々を不所望な変形を受け難いものとなすことが考えられる。しかしながら、可動アーム状部材１３Ａ及び１３Ｂを構成する板状部材の板厚や板幅を増して剛性を増大させると、係止部１４Ａ及び１４Ｂを伴った可動アーム状部材１３Ａ及び１３Ｂに対する、カード基板１８の端部１８ｂを係止した状態にある係止部１４Ａ及び１４Ｂを端部１８ｂから離れさせるように移動させる操作が、行い難いものとなってしまうという問題や、カード基板ラッチ１０の自重が増大してしまうという不都合が生じる。
【００１７】
斯かる点に鑑み、本願の特許請求の範囲に記載された発明は、カード基板コネクタに接続端子部が差込接続されたカード基板の一端部を係止する係止部が設けられた可動アーム状部材を備えて構成され、可動アーム状部材についてその操作性を損なう剛性の増大が図られることなく、係止部が、不所望な変形を生じ難い、カード基板の一端部に対する適正な係止状態を安定に維持できるものとされる、回路基板におけるカード基板コネクタに対向する位置に配されて使用されるカード基板ラッチを提供する。
【課題を解決するための手段】
【００１８】
本願の特許請求の範囲における請求項１から請求項４までのいずれかに記載された発明（以下、本発明という。）に係るカード基板ラッチは、回路基板における接地部に接続される接地接続部と回路基板の基板面に平行な面を形成する平面部とが設けられた導電性板状部材と、その導電性板状部材に連結された可動アーム状部材と、導電性板状部材及び可動アーム状部材を支持して回路基板に配されるベース部材とを備え、可動アーム状部材の自由端部に、導電性板状部材に近接せしめられたカード基板の一端部を係止する係止部と当該自由端部から突出して回路基板の基板面に沿う方向に移動可能とされる係合片部とが設けられるとともに、導電性板状部材の平面部における可動アーム状部材の自由端部の近傍となる部分に、その部分が回路基板の基板面に直交する方向に向かうべく折曲げられ、さらに、回路基板の基板面に沿う方向に向かうべく折曲げられる折曲げ加工が施されて、回路基板の基板面に沿って伸びる溝状部を形成し、係合片部が接触係合する状態をとるもとで当該係合片部の移動に対する案内を行う係合案内部が設けられ、導電性板状部材と可動アーム状部材とが金属板材により一体形成されて構成され、回路基板に取り付けられてカード基板の他端部が差込接続されるカード基板コネクタに対向する位置に配されて使用されるものとされる。
【００２０】
上述のように構成される本発明に係るカード基板ラッチは、回路基板においてそれに取り付けられたカード基板コネクタに対向する位置に配されて使用されるが、その際には、一対の対向端部の一方がカード基板コネクタに差込接続されたカード基板における一対の対向端部の他方が導電性板状部材に近接せしめられ、その導電性板状部材に近接せしめられたカード基板の端部を、可動アーム状部材の自由端部に設けられた係止部が係止する状態におかれる。カード基板の端部が導電性板状部材に近接せしめられるときには、カード基板の端部が導電性板状部材に近接した所定の位置におかれるにあたり、係止部が、一旦、可動アーム状部材の変位を伴ってカード基板から離れる方向に移動せしめられる。そして、カード基板の端部が導電性板状部材に近接した所定の位置におかれると、係止部が、可動アーム状部材の変位を伴って元の位置に戻り、導電性板状部材に近接した所定の位置におかれたカード基板の端部を係止する。
【００２１】
また、カード基板の端部を、可動アーム状部材の自由端部に設けられた係止部によって係止された状態から解除するにあたっては、係止部を伴った可動アーム状部材に、係止部をカード基板から離れさせるように移動させる操作が加えられる。そして、可動アーム状部材に対しての係止部をカード基板から離れさせる操作が終了すると、可動アーム状部材は係止部を伴って元の位置に戻る。
【００２２】
このように、係止部がカード基板から離れる方向に移動せしめられるとき、及び、その後元の位置に戻されるときには、それに伴って可動アーム状部材が変位する。そして、係止部の移動に伴って変位する可動アーム状部材の自由端部から突出する係合片部が、導電性板状部材の平面部における可動アーム状部材の自由端部の近傍となる部分に、その部分が回路基板の基板面に直交する方向に向かうべく折曲げられ、さらに、回路基板の基板面に沿う方向に向かうべく折曲げられる折曲げ加工が施されて設けられた、回路基板の基板面に沿って伸びる溝状部を形成する係合案内部に接触係合し、その係合案内部によって案内されるもとで、回路基板の基板面に沿う方向の移動を行う。それにより、係止部が可動アーム状部材の変位を伴ってカード基板から離れる方向に移動せしめられるとき、係止部に加えられる力は、係合案内部による案内のもとに移動する係合片部を介して、それが接触係合する係合案内部により受け止められるので、係止部が不所望な変形を生じ難いものとされるとともに、係止部の可動アーム状部材の移動を伴った移動が極めて円滑に行われる。
【００２４】
さらに、カード基板の端部を係止した状態にある係止部に、それに伝えられる振動あるいは衝撃によって加えられるカード基板から離れさせるように移動させる方向の力も、係合案内部による案内のもとに移動する係合片部を介して、それが接触係合する係合案内部により受け止められるので、係止部がそれに伝えられる振動あるいは衝撃による不所望な変形を生じ難いものとされる。
【発明の効果】
【００２５】
本発明に係るカード基板ラッチにあっては、上述のように、係止部が設けられる可動アーム状部材の自由端部から係合片部が突出せしめられ、その係合片部が、導電性板状部材の平面部における可動アーム状部材の自由端部の近傍となる部分に設けられた係合案内部に接触係合するとともに、その移動に際して係合案内部による案内を受けるものとされることにより、カード基板の端部が導電性板状部材に近接せしめられるにあたり、あるいは、カード基板の端部を係止部によって係止された状態から解除するにあたって、係止部が可動アーム状部材の変位を伴ってカード基板から離れる方向に移動せしめられるとき、さらには、係止部に振動あるいは衝撃が伝えられるとき、係止部に加えられる力が、係合案内部による案内のもとに移動し得るものとされた係合片部を介して、それが接触係合する係合案内部により受け止められ、係止部が不所望な変形を生じ難いものとされる。従って、可動アーム状部材についてその変位に要される操作性を損なう剛性の増大が図られることなく、係止部が、不所望な変形を生じ難い、カード基板の端部に対する適正な係止状態を安定に維持できるものとされることになる。また、可動アーム状部材についての剛性の増大が図られないことに伴い、全体の重量の増大も回避される。
【００２６】
取り分け、係合案内部が回路基板の基板面に沿って伸びる溝状部、即ち、可動アーム状部材における自由端部の移動方向に沿って伸びる溝状部を形成しているので、可動アーム状部材の自由端部から突出する係合片部がその溝状部内に配されるものとされて、係止部の可動アーム状部材の変位を伴った移動が極めて円滑に行われ、係止部が不所望な変形を生じ難いものとされる作用効果が顕著なものとされる。
【００２７】
また、請求項３に記載された本発明に係るカード基板ラッチのように、係止部が、カード基板の一端部を係止するとき、カード基板についての回路基板における接地部への連結を可動アーム状部材及び導電性板状部材を通じて行うものにあっては、係止部が不所望な変形を生じ難いものとされることによりカード基板と係止部との間の接触抵抗値が安定し、カード基板についての接地接続が安定に行われることになる。
【発明を実施するための最良の形態】
【００２８】
本発明を実施するための最良の形態は、以下に述べられる本発明についての実施例をもって説明される。
【実施例１】
【００２９】
図１は、本発明に係るカード基板ラッチの一例を示す。この例は、カード基板ラッチ３０を構成するものとされている。
【００３０】
カード基板ラッチ３０は、ソリッド印刷配線基板等の回路基板に固定されるベース部材３１によって、導電性板状部材３２と一対の可動アーム状部材３３Ａ及び３３Ｂとが支持されて、構成されている。ベース部材３１は、例えば、合成樹脂等の絶縁材により形成され、導電性板状部材３２と可動アーム状部材３３Ａ及び３３Ｂとは、例えば、金属薄板材により形成される。
【００３１】
ベース部材３１には、導電性板状部材３２と可動アーム状部材３３Ａ及び３３Ｂとを支持する部材支持部３１ａと、部材支持部３１ａの両側端部に夫々連なって形成され、回路基板に係合する一対の基板係合部３１ｂとが設けられており、各基板係合部３１ｂには回路基板に設けられた孔に差し込まれる突起３１ｃが形成されている（但し、一対の基板係合部３１ｂのうちの一方に設けられた突起３１ｃは図１には現れていない。）。これらの突起３１ｃが回路基板に設けられた孔に差し込まれることにより、ベース部材３１が回路基板に固定される。また、各基板係合部３１ｂには、後述されるカード基板に設けられた透孔に係合する円錐状突起３１ｄも形成されている。
【００３２】
導電性板状部材３２には、図１に示されるように、ベース部材３１が固定される回路基板における接地部に接続される複数の接地接続部３２ｂと、ベース部材３１における一対の基板係合部３１ｂに夫々配されて、各々が回路基板の基板面に平行な面を形成する平面部３２Ａ及び３２Ｂとが設けられており、さらに、平面部３２Ａに係合案内部３４Ａが設けられるとともに、平面部３２Ｂに係合案内部３４Ｂが設けられている。係合案内部３４Ａは、カード基板ラッチ３０における係合案内部３４Ａを含む部分をあらわす図２及び図３において一層明瞭に示されるように、平面部３２Ａにおける可動アーム状部材３３Ａの自由端部の近傍となる部分に、その部分が回路基板の基板面に直交する方向に向かうべく折曲げられ、さらに、回路基板の基板面に沿う方向に向かうべく折曲げられる折曲げ加工が施されて設けられていて、回路基板の基板面に沿って伸びる溝状部を形成するものとされている。同様に、係合案内部３４Ｂも、カード基板ラッチ３０における係合案内部３４Ｂを含む部分をあらわす図４及び図５において一層明瞭に示されるように、平面部３２Ｂにおける可動アーム状部材３３Ｂの自由端部の近傍となる部分に、その部分が回路基板の基板面に直交する方向に向かうべく折曲げられ、さらに、回路基板の基板面に沿う方向に向かうべく折曲げられる折曲げ加工が施されて設けられていて、回路基板の基板面に沿って伸びる溝状部を形成するものとされている。
【００３３】
さらに、導電性板状部材３２には、平面部３２Ａ及び３２Ｂの夫々の近傍となる位置に、係合接触片部３２ｃが、ベース部材３１における基板係合部３１ｂに並行して伸びるようにして設けられている。
【００３４】
一対の可動アーム状部材３３Ａ及び３３Ｂの夫々は、ベース部材３１における部材支持部３１ａに埋没して支持されている部分において一体化されて、導電性板状部材３２に連結されるとともに、その連結部分から互いに逆方向に伸びる自由端部を有している。可動アーム状部材３３Ａの自由端部には、折曲げ加工が施されて形成された係止部３５Ａが設けられ、また、可動アーム状部材３３Ｂの自由端部にも、折曲げ加工が施されて形成された係止部３５Ｂが設けられている。係止部３５Ａは、導電性板状部材３２の平面部３２Ａに対向しており、また、係止部３５Ｂは、導電性板状部材３２の平面部３２Ｂに対向している。そして、係合案内部３４Ａは、導電性板状部材３２の平面部３２Ａに設けられているので、可動アーム状部材３３Ａの自由端部の近傍となる部分に設けられたものとされ、また、係合案内部３４Ｂは、導電性板状部材３２の平面部３２Ｂに設けられているので、可動アーム状部材３３Ｂの自由端部の近傍となる部分に設けられたものとされる。
【００３５】
さらに、図２及び図３に明瞭に示されるように、可動アーム状部材３３Ａの自由端部には、それから外方に向かって突出する係合片部３６Ａが設けられている。この係合片部３６Ａは、導電性板状部材３２における平面部３２Ａに設けられた係合案内部３４Ａが成す溝状部内に配されていて、係合案内部３４Ａの図２及び図３において上方側及び下方側となる二箇所に接触係合する状態をとることができる。
【００３６】
そして、係合片部３６Ａは、係合案内部３４Ａに接触係合する状態をとるもとで、図２において矢印αにより示される方向に、可動アーム状部材３３Ａの変位を伴って円滑に移動し得るものとされており、係合片部３６Ａが係合案内部３４Ａに接触係合するもとで矢印αにより示される方向に移動する際には、溝状部を成す係合案内部３４Ａが、係合片部３６Ａの移動に対する案内を行う。そのため、係合案内部３４Ａが成す溝状部は、係合片部３６Ａの移動方向、即ち、矢印αにより示される方向に沿って伸びるものとして形成される。
【００３７】
同様に、図４及び図５に明瞭に示されるように、可動アーム状部材３３Ｂの自由端部には、それから外方に向かって突出する係合片部３６Ｂが設けられている。この係合片部３６Ｂは、導電性板状部材３２における平面部３２Ｂに設けられた係合案内部３４Ｂが成す溝状部内に配されていて、係合案内部３４Ｂの図４及び図５において上方側及び下方側となる二箇所に接触係合する状態をとることができる。
【００３８】
そして、係合片部３６Ｂは、係合案内部３４Ｂに接触係合する状態をとるもとで、図４において矢印αにより示される方向に、可動アーム状部材３３Ｂの変位を伴って円滑に移動し得るものとされており、係合片部３６Ｂが係合案内部３４Ｂに接触係合するもとで矢印αにより示される方向に移動する際には、溝状部を成す係合案内部３４Ｂが、係合片部３６Ｂの移動に対する案内を行う。そのため、係合案内部３４Ｂが成す溝状部は、係合片部３６Ｂの移動方向、即ち、矢印αにより示される方向に沿って伸びるものとして形成される。
【００３９】
上述のような導電性板状部材３２及び一対の可動アーム状部材３３Ａ及び３３Ｂは、例えば、弾力性を有した１枚の金属板材に打抜き加工及び折曲げ加工が施されることにより、一体に形成される。そして、導電性板状部材３２から一対の可動アーム状部材３３Ａ及び３３Ｂが分岐する部分が、ベース部材３１における部材支持部３１ａに埋め込まれる。
【００４０】
このようなもとで、カード基板ラッチ３０は、例えば、図６に示されるように、回路基板４０上において、カード基板コネクタ４１に対向するものとして配置され、カード基板コネクタ４１を構成する絶縁ハウジング４２に接続端子部４５ａが差し込まれたカード基板４５の接続端子部４５ａに対向する端部４５ｂを、係止部３５Ａ及び３５Ｂによって係止するものとして使用される。その際、図７に示されるように、カード基板ラッチ３０は、そのベース部材３１における基板係合部３１ｂに設けられた突起３１ｃが回路基板４０に設けられた孔に差し込まれて固定され、また、カード基板コネクタ４１も、図６に示されるように、その絶縁ハウジング４２に設けられた突起４２ａが回路基板４０に設けられた孔に差し込まれて固定される。
【００４１】
カード基板４５の端部４５ｂがカード基板ラッチ３０の係止部３５Ａ及び３５Ｂによって係止されるにあたっては、カード基板４５の端部４５ｂが、図７及び図８に示されるように、カード基板ラッチ３０における導電性板状部材３２に近接せしめられ、当該端部４５ｂに設けられた一対の透孔４５ｃをカード基板ラッチ３０のベース部材３１における一対の基板係合部３１ｂに夫々設けられた円錐状突起３１ｄに嵌合させて、カード基板ラッチ３０における係止部３５Ａと導電性板状部材３２の平面部３２Ａとの間及び係止部３５Ｂと導電性板状部材３２の平面部３２Ｂとの間に配される。そして、図７に示されるように、可動アーム状部材３３Ａの自由端部に設けられた係合片部３６Ａが、ベース部材３１における平面部３２Ａに設けられた係合案内部３４Ａが成す溝状部内に配されて、係合案内部３４Ａに接触係合する状態をとるもとで、係止部３５Ａが、カード基板４５の端部４５ｂに、図７における上方側から当接する。同様に、可動アーム状部材３３Ｂの自由端部に設けられた係合片部３６Ｂも、ベース部材３１における平面部３２Ｂに設けられた係合案内部３４Ｂが成す溝状部内に配されて、係合案内部３４Ｂに接触係合する状態をとるもとで、係止部３５Ｂが、カード基板４５の端部４５ｂに、図８における上方側から当接する。それによって係止部３５Ａ及び３５Ｂによる端部４５ｂに対する係止が行われる。
【００４２】
また、このとき、導電性板状部材３２に設けられた一対の係合接触片部３２ｃが、係止部３５Ａと導電性板状部材３２の平面部３２Ａとの間及び係止部３５Ｂと導電性板状部材３２の平面部３２Ｂとの間に配されたカード基板４５の端部４５ｂに、図８における下方側から係合接触する。それにより、一対の係合接触片部３２ｃは、カード基板４５の端部４５ｂに、図８における下方側から上方側に向かう力、即ち、当該端部４５ｂを係止部３５Ａ及び３５Ｂに押し付ける力を作用させる。その結果、カード基板４５の端部４５ｂは、係止部３５Ａ及び３５Ｂと一対の係合接触片部３２ｃとによって挟持される状態とされる。
【００４３】
カード基板４５の端部４５ｂを係止する係止部３５Ａ及び３５Ｂは、それらを通じ、さらに、可動アーム状部材３３Ａ及び３３Ｂ、及び、導電性板状部材３２を通じて、カード基板４５を、導電性板状部材３２に設けられた複数の接地接続部３２ｂが接続される回路基板４０における接地部に連結する役割も果たす。また、カード基板４５の端部４５ｂにおける係合接触片部３２ｃが係合接触する部分に接地部が設けられている場合には、係合接触片部３２ｃも、それを通じ、さらに、導電性板状部材３２を通じて、カード基板４５を、導電性板状部材３２に設けられた複数の接地接続部３２ｂが接続される回路基板４０における接地部に連結する役割を果たす。
【００４４】
カード基板４５の端部４５ｂが、図７及び図８に示されるように、導電性板状部材３２に近接せしめられ、透孔４５ｃをカード基板ラッチ３０に設けられた円錐状突起３１ｄに嵌合させて、カード基板ラッチ３０における係止部３５Ａと導電性板状部材３２の平面部３２Ａとの間及び係止部３５Ｂと導電性板状部材３２の平面部３２Ｂとの間に配される際には、係止部３５Ａが、一時的に、例えば、図７に示される位置から、カード基板４５から離れる方向に変形移動せしめられ、また、同様に、係止部３５Ｂが、一時的にカード基板４５から離れる方向に変形移動せしめられる。そして、その後、係止部３５Ａは、それが設けられた可動アーム状部材３３Ａの弾性力により、例えば、図７に示される元の位置に戻されて、カード基板４５の端部４５ｂを係止し、また、同様に、係止部３５Ｂが、それが設けられた可動アーム状部材３３Ｂの弾性力により元の位置に戻されて、カード基板４５の端部４５ｂを係止する。
【００４５】
また、カード基板４５の端部４５ｂを、係止部３５Ａ及び３５Ｂによって係止された状態から解除するにあたっては、係止部３５Ａ及び３５Ｂを伴った可動アーム状部材３３Ａ及び３３Ｂに、係止部３５Ａ及び３５Ｂをカード基板４５から離れさせるように変形移動させる操作が加えられる。そして、可動アーム状部材３３Ａ及び３３Ｂに対しての係止部３５Ａ及び３５Ｂをカード基板４５から離れさせる操作が終了すると、可動アーム状部材３３Ａ及び３３Ｂは、その弾性力によって、係止部３５Ａ及び３５Ｂを伴って元の位置に戻る。
【００４６】
係止部３５Ａ及び３５Ｂがカード基板４５から離れるように変形移動せしめられるとき、及び、その後移動前の位置に戻されるときには、可動アーム状部材３３Ａ及び３３Ｂの変位を伴う。その際、係止部３５Ａ及び３５Ｂの移動に伴って変位する可動アーム状部材３３Ａ及び３３Ｂの各々の自由端部から突出する係合片部３６Ａ及び３６Ｂが、導電性板状部材３２に設けられた係合案内部３４Ａ及び３４Ｂの各々が形成する溝状部内に夫々配されて、係合案内部３４Ａの図２及び図３において上方側及び下方側となる二箇所、及び、係合案内部３４Ｂの図４及び図５において上方側及び下方側となる二箇所に、夫々接触係合し、係合案内部３４Ａ及び３４Ｂによって案内されるもとでの移動を行う。
【００４７】
それにより、例えば、係止部３５Ａ及び３５Ｂが可動アーム状部材３３Ａ及び３３Ｂの変位を伴ってカード基板４５から離れる方向に移動せしめられるとき、係止部３５Ａ及び３５Ｂに加えられる力は、係合案内部３４Ａ及び３４Ｂによる案内のもとに移動する係合片部３６Ａ及び３６Ｂを介して、係止部３５Ａが接触係合する係合案内部３４Ａにおける図２及び図３において上方側及び下方側となる二箇所、及び、係止部３５Ｂが接触係合する係合案内部３４Ｂにおける図４及び図５において上方側及び下方側となる二箇所により受け止められるので、係止部３５Ａ及び３５Ｂが不所望な変形を生じ難いものとされる。
【００４８】
特に、係合案内部３４Ａが可動アーム状部材３３Ａにおける自由端部の移動方向に沿って伸びる溝状部を成すものとされ、可動アーム状部材３３Ａの自由端部から突出する係合片部３６Ａが、その溝状部内に配されて、移動に際し、溝状部に接触係合してその溝状部による案内を受けるものとされるとともに、係合案内部３４Ｂが可動アーム状部材３３Ｂにおける自由端部の移動方向に沿って伸びる溝状部を成すものとされ、可動アーム状部材３３Ｂの自由端部から突出する係合片部３６Ｂが、その溝状部内に配されて、移動に際し、溝状部に接触係合してその溝状部による案内を受けるものとされているので、係止部３５Ａ及び３５Ｂの可動アーム状部材３３Ａ及び３３Ｂの移動を伴った移動が極めて円滑に行われる。
【００４９】
さらに、カード基板４５の端部４５ｂを係止した状態にある係止部３５Ａ及び３５Ｂにカード基板ラッチ３０に加えられる振動あるいは衝撃が伝えられる場合には、その振動あるいは衝撃によって係止部３５Ａ及び３５Ｂにそれらをカード基板４５から離れさせるように移動させる方向の力が加えられる事態が考えられるが、斯かる力も、可動アーム状部材３３Ａ及び３３Ｂの夫々の自由端部から突出する係合片部３６Ａ及び３６Ｂを介して、それらが接触係合する係合案内部３４Ａ及び３４Ｂにより受け止められるので、係止部３５Ａ及び３５Ｂがそれに伝えられる振動あるいは衝撃による不所望な変形を生じ難いものとされる。
【００５０】
その結果、可動アーム状部材３３Ａ及び３３Ｂについてその変位に要される操作性を損なう剛性の増大が図られることなく、可動アーム状部材３３Ａ及び３３Ｂの各々の自由端部に夫々設けられた係止部３５Ａ及び３５Ｂが、不所望な変形を生じ難い、カード基板４５の端部４５ｂに対する適正な係止状態を安定に維持できるものとされることになる。また、可動アーム状部材３３Ａ及び３３Ｂについての剛性の増大が図られないことに伴い、カード基板ラッチ３０全体の重量の増大も回避される。
【００５１】
なお、導電性板状部材３２における平面部３２Ａ及び３２Ｂに夫々設けられる係合案内部３４Ａ及び３４Ｂ、さらには、可動アーム状部材３３Ａ及び３３Ｂの各々の自由端部に夫々設けられる係合片部３６Ａ及び３６Ｂは、各々の形状が上述の例に限られるというものではなく、各々の役割を果たすに足る種々の形状をとり得るものである。
【実施例２】
【００５２】
図９及び図１０は、本発明に係るカード基板ラッチの他の例の部分を示す。図９及び図１０に示される部分を有した例も、全体的には、図１に示されるカード基板ラッチ３０と略同様に構成されたものとされる。
【００５３】
図９は、図１に示されるカード基板ラッチ３０における図２に示される部分に対応する部分を示し、また、図１０は、図１に示されるカード基板ラッチ３０における図４に示される部分に対応する部分を示している。図９においては、図２に示される各部及び各部材に対応する部分及び部材を、図２と共通の符号をもって示し、それらについての重複説明を省略し、また、図１０においては、図４に示される各部及び各部材に対応する部分及び部材を、図４と共通の符号をもって示し、それらについての重複説明を省略する。
【００５４】
図９に示される部分においては、図２に示される可動アーム状部材３３Ａの自由端部に設けられている係合片部３６Ａに代わるものとして、可動アーム状部材３３Ａの自由端部から外方に向かって突出する係合片部４６Ａが設けられている。この係合片部４６Ａは、導電性板状部材３２の平面部３２Ａにおける可動アーム状部材３３Ａの自由端部の近傍となる部分に設けられた係合案内部３４Ａが成す溝状部内に配されていて、係合案内部３４Ａに接触係合する状態をとることができる。そして、係合片部４６Ａは、折り曲げられて、係合案内部３４Ａが成す溝状部が伸びる回路基板の基板面に沿う方向に沿い、ベース部材３１における基板係合部３１ｂに設けられてカード基板に設けられた透孔に係合する円錐状突起（図９には現れていない）に向かって伸びる部分を有するものとされている。
【００５５】
斯かる係合片部４６Ａも、係合案内部３４Ａに接触係合する状態をとるもとで、可動アーム状部材３３Ａの変位を伴って円滑に移動し得るものとされており、係合片部４６Ａが係合案内部３４Ａに接触係合するもとで移動する際には、溝状部を成す係合案内部３４Ａが、係合片部４６Ａの移動に対する案内を行う。その際、係合片部４６Ａが、折り曲げられて、係合案内部３４Ａが成す溝状部が伸びる方向に沿う部分を有していることにより、溝状部を成す係合案内部３４Ａによる係合片部４６Ａの移動に対する案内が、一層円滑かつ確実に行われる。
【００５６】
また、図１０に示される部分においては、図４に示される可動アーム状部材３３Ｂの自由端部に設けられている係合片部３６Ｂに代わるものとして、可動アーム状部材３３Ｂの自由端部から外方に向かって突出する係合片部４６Ｂが設けられている。この係合片部４６Ｂは、導電性板状部材３２の平面部３２Ｂにおける可動アーム状部材３３Ｂの自由端部の近傍となる部分に設けられた係合案内部３４Ｂが成す溝状部内に配されていて、係合案内部３４Ｂに接触係合する状態をとることができる。そして、係合片部４６Ｂは、折り曲げられて、係合案内部３４Ｂが成す溝状部が伸びる回路基板の基板面に沿う方向に沿い、ベース部材３１における基板係合部３１ｂに設けられてカード基板に設けられた透孔に係合する円錐状突起（図１０には現れていない）に向かって伸びる部分を有するものとされている。
【００５７】
斯かる係合片部４６Ｂも、係合案内部３４Ｂに接触係合する状態をとるもとで、可動アーム状部材３３Ｂの変位を伴って円滑に移動し得るものとされており、係合片部４６Ｂが係合案内部３４Ｂに接触係合するもとで移動する際には、溝状部を成す係合案内部３４Ｂが、係合片部４６Ｂの移動に対する案内を行う。その際、係合片部４６Ｂが、折り曲げられて、係合案内部３４Ｂが成す溝状部が伸びる方向に沿う部分を有していることにより、溝状部を成す係合案内部３４Ｂによる係合片部４６Ｂの移動に対する案内が、一層円滑かつ確実に行われる。
【００５８】
このような係合片部４６Ａ及び４６Ｂが設けられた可動アーム状部材３３Ａ及び３３Ｂを備えた本発明に係るカード基板ラッチの他の例に係るカード基板ラッチも、図１に示されるカード基板ラッチ３０と同様に使用され、それにより、図１に示されるカード基板ラッチ３０の場合と同様な作用効果が得られることになる。
【実施例３】
【００５９】
図１１及び図１２は、本発明に係るカード基板ラッチのさらに他の例の部分を示す。図１１及び図１２に示される部分を有した例も、全体的には、図１に示されるカード基板ラッチ３０と略同様に構成されたものとされる。
【００６０】
図１１は、図１に示されるカード基板ラッチ３０における図２に示される部分に対応する部分を示し、また、図１２は、図１に示されるカード基板ラッチ３０における図４に示される部分に対応する部分を示している。図１１においては、図２に示される各部及び各部材に対応する部分及び部材を、図２と共通の符号をもって示し、それらについての重複説明を省略し、また、図１２においては、図４に示される各部及び各部材に対応する部分及び部材を、図４と共通の符号をもって示し、それらについての重複説明を省略する。
【００６１】
図１１に示される部分においては、図２に示される可動アーム状部材３３Ａの自由端部に設けられている係合片部３６Ａに代わるものとして、可動アーム状部材３３Ａの自由端部から外方に向かって突出する係合片部４７Ａが設けられている。この係合片部４７Ａは、導電性板状部材３２の平面部３２Ａにおける可動アーム状部材３３Ａの自由端部の近傍となる部分に設けられた係合案内部３４Ａが成す溝状部内に配されていて、係合案内部３４Ａに接触係合する状態をとることができる。そして、係合片部４７Ａは、折り曲げられて、係合案内部３４Ａが成す溝状部が伸びる回路基板の基板面に沿う方向に沿い、ベース部材３１における基板係合部３１ｂに設けられてカード基板に設けられた透孔に係合する円錐状突起（図１１には現れていない）とは反対側に向かって伸びる部分を有するものとされている。
【００６２】
斯かる係合片部４７Ａも、係合案内部３４Ａに接触係合する状態をとるもとで、可動アーム状部材３３Ａの変位を伴って円滑に移動し得るものとされており、係合片部４７Ａが係合案内部３４Ａに接触係合するもとで移動する際には、溝状部を成す係合案内部３４Ａが、係合片部４７Ａの移動に対する案内を行う。その際、係合片部４７Ａが、折り曲げられて、係合案内部３４Ａが成す溝状部が伸びる方向に沿う部分を有していることにより、溝状部を成す係合案内部３４Ａによる係合片部４７Ａの移動に対する案内が、一層円滑かつ確実に行われる。
【００６３】
また、図１２に示される部分においては、図４に示される可動アーム状部材３３Ｂの自由端部に設けられている係合片部３６Ｂに代わるものとして、可動アーム状部材３３Ｂの自由端部から外方に向かって突出する係合片部４７Ｂが設けられている。この係合片部４７Ｂは、導電性板状部材３２の平面部３２Ｂにおける可動アーム状部材３３Ｂの自由端部の近傍となる部分に設けられた係合案内部３４Ｂが成す溝状部内に配されていて、係合案内部３４Ｂに接触係合する状態をとることができる。そして、係合片部４７Ｂは、折り曲げられて、係合案内部３４Ｂが成す溝状部が伸びる回路基板の基板面に沿う方向に沿い、ベース部材３１における基板係合部３１ｂに設けられてカード基板に設けられた透孔に係合する円錐状突起（図１０には現れていない）とは反対側に向かって伸びる部分を有するものとされている。
【００６４】
斯かる係合片部４７Ｂも、係合案内部３４Ｂに接触係合する状態をとるもとで、可動アーム状部材３３Ｂの変位を伴って円滑に移動し得るものとされており、係合片部４７Ｂが係合案内部３４Ｂに接触係合するもとで移動する際には、溝状部を成す係合案内部３４Ｂが、係合片部４７Ｂの移動に対する案内を行う。その際、係合片部４７Ｂが、折り曲げられて、係合案内部３４Ｂが成す溝状部が伸びる方向に沿う部分を有していることにより、溝状部を成す係合案内部３６Ｂによる係合片部４７Ｂの移動に対する案内が、一層円滑かつ確実に行われる。
【００６５】
このような係合片部４７Ａ及び４７Ｂが設けられた可動アーム状部材３３Ａ及び３３Ｂを備えた本発明に係るカード基板ラッチのさらに他の例に係るカード基板ラッチも、図１に示されるカード基板ラッチ３０と同様に使用され、それにより、図１に示されるカード基板ラッチ３０の場合と同様な作用効果が得られることになる。
【産業上の利用可能性】
【００６６】
以上のような本発明に係るカード基板ラッチは、カード基板コネクタに接続端子部が差込接続されたカード基板の一端部を係止する係止部が設けられた可動アーム状部材を備えて構成され、可動アーム状部材についてその操作性を損なう剛性の増大が図られることなく、係止部が、不所望な変形を生じ難い、カード基板の一端部に対する適正な係止状態を安定に維持できるものとして、様々な電子機器等に広く適用され得るものである。
【図面の簡単な説明】
【００６７】
【図１】本発明に係るカード基板ラッチの一例を示す斜視図である。
【図２】図１に示される例における部分を示す部分斜視図である。
【図３】図１に示される例における部分を示す部分背面図である。
【図４】図１に示される例における部分を示す部分斜視図である。
【図５】図１に示される例における部分を示す部分背面図である。
【図６】図１に示される例の使用状態を示す一部破断側面図である。
【図７】図１に示される例の使用状態を示す側面図である。
【図８】図１に示される例の使用状態を示す一部破断側面図である。
【図９】本発明に係るカード基板ラッチの他の例の部分を示す部分斜視図である。
【図１０】本発明に係るカード基板ラッチの他の例の部分を示す部分斜視図である。
【図１１】本発明に係るカード基板ラッチのさらに他の例の部分を示す部分斜視図である。
【図１２】本発明に係るカード基板ラッチのさらに他の例の部分を示す部分斜視図である。
【図１３】従来のカード基板ラッチを示す斜視図である。
【図１４】従来のカード基板ラッチの使用状態を示す斜視図である。
【図１５】従来のカード基板ラッチの使用状態を示す一部破断側面図である。
【図１６】従来のカード基板ラッチと共に使用されるカード基板コネクタの使用状態を示す一部破断側面図である。
【図１７】従来のカード基板ラッチの使用状態を示す側面図である。
【符号の説明】
【００６８】
３０・・・カード基板ラッチ，  ３１・・・ベース部材，  ３１ａ・・・部材支持部，  ３１ｂ・・・基板係合部，  ３１ｃ，４２ａ・・・突起，  ３１ｄ・・・円錐状突起，  ３２・・・導電性板状部材，  ３２Ａ，３２Ｂ・・・平面部，  ３２ｂ・・・接地接続部，  ３２ｃ・・・係合接触部，  ３３Ａ，３３Ｂ・・・可動アーム状部材，  ３４Ａ，３４Ｂ・・・係合案内部，  ３５Ａ，３５Ｂ・・・係止部，  ３６Ａ，３６Ｂ，４６Ａ，４６Ｂ，４７Ａ，４７Ｂ・・・係合片部，  ４０・・・回路基板，  ４１・・・カード基板コネクタ，  ４２・・・絶縁ハウジング，  ４５・・・カード基板，  ４５ａ・・・接続端子部，  ４５ｂ・・・端部，  ４５ｃ・・・透孔
【図１】
0004756598.tif 000002
【図２】
0004756598.tif 000003
【図３】
0004756598.tif 000004
【図４】
0004756598.tif 000005
【図５】
0004756598.tif 000006
【図６】
0004756598.tif 000007
【図７】
0004756598.tif 000008
【図８】
0004756598.tif 000009
【図９】
0004756598.tif 000010
【図１０】
0004756598.tif 000011
【図１１】
0004756598.tif 000012
【図１２】
0004756598.tif 000013
【図１３】
0004756598.tif 000014
【図１４】
0004756598.tif 000015
【図１５】
0004756598.tif 000016
【図１６】
0004756598.tif 000017
【図１７】
0004756598.tif 000018